(57)【特許請求の範囲】
【請求項１】
水栓に関する部品の少なくとも一部を内蔵するカバーと、
取付対象の壁の裏側に配設され前記壁に設けられた貫通孔を通過して前記壁の表側に突出する給水管および給湯管のいずれか一方に接続される第１の止水栓と、
前記給水管および前記給湯管のいずれか他方に接続される第２の止水栓と、
を備え、
前記第１の止水栓は、
前記給水管および前記給湯管のいずれか一方に接続される接続部と、
前記接続部の軸と直交する軸を有する操作部と、
を有し、前記第１の止水栓とは異なる他の前記水栓に関する部品と配管を介して接続され、
前記接続部は、袋ナットと当接した状態であって前記給水管および前記給湯管のいずれか一方に前記袋ナットにより押圧された状態で固定され、
前記操作部は、前記カバーの外側から操作可能に構成されており、
さらに、前記第１の止水栓を支持し前記第１の止水栓が前記接続部の軸を回転軸として回転することを抑制する回転抑制手段を備え、
前記回転抑制手段は、前記第１の止水栓と前記第２の止水栓とが互いに回転を抑制し合うように、前記袋ナットよりも前方において前記第１の止水栓と前記第２の止水栓とを連結する構造を有することを特徴とするカバー水栓。
【請求項２】
前記回転抑制手段は、前記第１の止水栓と前記第２の止水栓との間において下カバー取付材を一体または別体として有し、
前記カバーは、前記水栓に関する部品の下側に設けられた下カバーを有し、
前記下カバー取付材は、前記下カバーを支持することを特徴とする請求項１記載のカバー水栓。
【請求項３】
前記回転抑制手段は、前記第１の止水栓と前記第２の止水栓の固定部に対して着脱可能に設けられることを特徴とする請求項２記載のカバー水栓。
【発明の詳細な説明】
【技術分野】
【０００１】
本発明の態様は、一般的に、カバー水栓に関する。
【背景技術】
【０００２】
例えば、湯又は水を供給する配管が接続されるカバー水栓がある（特許文献１）。カバー水栓は、水栓に関する部品などを内蔵する。特許文献１に記載されたカバー水栓においては、止水栓の操作部の軸は下方を向いている。
【０００３】
例えば特許文献１に記載されたようなカバー水栓を小型化する場合には、小型化する前と比較して、カバー水栓の内部に設けられた配管であって水栓に関する部品同士を繋ぐ配管を短くする必要がある。配管には金属製のものが用いられることが多いため、特に、相対的に短い配管の剛性は相対的に長い配管の剛性よりも高くなる。したがって、カバー水栓内部の水栓に関する部品同士の相対位置にずれが生じると、配管側でそれらの部品同士を繋ぐよう調整することが困難となる。そのため、カバー水栓を小型化する場合には、カバー水栓が内蔵する水栓に関する部品の位置に対して高い精度が求められる。
【０００４】
ここで、水栓に関する部品としての止水栓の位置精度を高めるためには、袋ナットを使用して、止水栓を給水管および給湯管のそれぞれに接続することがより好ましい（特許文献２）。しかし、袋ナットを使用して止水栓を給水管および給湯管のそれぞれに接続した場合においては、袋ナットを止水栓の接続部を介して給水管および給湯管の先端に押し当てて接続するため、例えば使用者が止水栓の操作部を操作したときに意図しない力が作用して止水栓自体が回転すると、袋ナットと止水栓の接続部との間の大きな摩擦力により、袋ナットが止水栓とともに回転するおそれがある。止水栓を固定する袋ナットが回転して緩むと、その緩んだ袋ナットによって接続している止水栓と給水管もしくは給湯管との間から漏水が発生するおそれがある。
【先行技術文献】
【特許文献】
【０００５】
【特許文献１】特許第４０９８６００号
【特許文献２】特開２００５−２３３４１２号公報
【発明の概要】
【発明が解決しようとする課題】
【０００６】
本発明は、かかる課題の認識に基づいてなされたものであり、小型化しつつも止水栓の操作部を操作した際に漏水することを抑制することができるカバー水栓を提供することを目的とする。
【課題を解決するための手段】
【０００７】
第１の発明は、水栓に関する部品の少なくとも一部を内蔵するカバーと、取付対象の壁の裏側に配設され前記壁に設けられた貫通孔を通過して前記壁の表側に突出する給水管および給湯管のいずれか一方に接続される第１の止水栓と、前記給水管および前記給湯管のいずれか他方に接続される第２の止水栓と、を備え、前記第１の止水栓は、前記給水管および前記給湯管のいずれか一方に接続される接続部と、前記接続部の軸と直交する軸を有する操作部と、を有し、前記第１の止水栓とは異なる他の前記水栓に関する部品と配管を介して接続され、前記接続部は、袋ナットと当接した状態であって前記給水管および前記給湯管のいずれか一方に前記袋ナットにより押圧された状態で固定され、前記操作部は、前記カバーの外側から操作可能に構成されており、さらに、前記第１の止水栓を支持し前記第１の止水栓が前記接続部の軸を回転軸として回転することを抑制する回転抑制手段を備え、前記回転抑制手段は、前記第１の止水栓と前記第２の止水栓とが互いに回転を抑制し合うように、前記袋ナットよりも前方において前記第１の止水栓と前記第２の止水栓とを連結する構造を有することを特徴とするカバー水栓である。
【０００８】
このカバー水栓によれば、例えば使用者が第１の止水栓の操作部を操作したときに第１の止水栓が回転することを抑制することができる。そのため、第１の止水栓と給水管あるいは給湯管との間の接続部分において漏水が発生することを抑えることができる。  
さらに、第１の止水栓が袋ナットにより押圧状態で給水管あるいは給湯管に接続されるため、第１の止水栓の位置精度をより高めることができる。これにより、カバー水栓のコンパクト化を図ることができる。
【００１０】
このカバー水栓によれば、回転抑制手段は、第１の止水栓と第２の止水栓とが互いに回転を抑制し合うように、第１の止水栓と第２の止水栓とを連結するという比較的簡単な構造により、第１の止水栓および第２の止水栓の回転を抑制することができる。また、第１の止水栓および第２の止水栓は、互いに回転することを抑制されるため、回転抑制手段は、第１の止水栓および第２の止水栓の両者の回転をより確実に抑制することができる。
【００１１】
第２の発明は、第１の発明において、前記回転抑制手段は、前記第１の止水栓と前記第２の止水栓との間において下カバー取付材を一体または別体として有し、前記カバーは、前記水栓に関する部品の下側に設けられた下カバーを有し、前記下カバー取付材は、前記下カバーを支持することを特徴とするカバー水栓である。
また、第３の発明は、第２の発明において、前記回転抑制手段は、前記第１の止水栓と前記第２の止水栓の固定部に対して着脱可能に設けられることを特徴とするカバー水栓である。
【００１２】
このカバー水栓によれば、回転抑制手段が固定部に対して取り付けられていない場合には、下カバーを回転抑制手段の下カバー取付材に取り付けることができない。これにより、作業者が下カバーを取り付けようとした際に、作業者に回転抑制手段を設置し忘れたことを気づかせることができる。そのため、回転抑制手段の設置の忘れを抑制することができる。したがって、回転抑制手段が固定部により確実に取り付けられるため、第１の止水栓および第２の止水栓の両者の回転をより確実に抑制することができる。
【発明の効果】
【００１３】
本発明の態様によれば、小型化しつつも止水栓の操作部を操作した際に漏水することを抑制することができるカバー水栓が提供される。
【図面の簡単な説明】
【００１４】
【図１】本発明の実施の形態にかかるカバー水栓を表す模式的斜視図である。
【図２】本実施形態にかかるカバー水栓を表す模式的分解図である。
【図３】本実施形態にかかるカバー水栓を下方から眺めたときの模式的平面図である。
【図４】本実施形態にかかるカバー水栓を上方から眺めたときの模式的平面図である。
【図５】本実施形態の回転抑制手段が第１の止水栓および第２の止水栓を固定した状態を表す模式的斜視図である。
【図６】第１の止水栓と給水管との間の接続を説明する模式図である。
【図７】給水管または給湯管の近傍を拡大した模式的拡大図である。
【発明を実施するための形態】
【００１５】
以下、本発明の実施の形態について図面を参照しつつ説明する。なお、各図面中、同様の構成要素には同一の符号を付して詳細な説明は適宜省略する。  
図１は、本発明の実施の形態にかかるカバー水栓を表す模式的斜視図である。  
図２は、本実施形態にかかるカバー水栓を表す模式的分解図である。  
図１（ａ）は、本実施形態にかかるカバー水栓を斜め上方から眺めたときの模式的斜視図である。図１（ｂ）は、本実施形態にかかるカバー水栓を斜め下方から眺めたときの模式的斜視図である。
【００１６】
図１（ａ）〜図２に表したように、本実施形態にかかるカバー水栓１００は、カバー１０５と、水栓本体１１０と、第１の止水栓１２０と、第２の止水栓１３０と、回転抑制手段１４０と、支持材１６０と、を備える。また、カバー水栓１００は、下カバー取付材１５０と、シャワーエルボ１７０と、締結部材１８１と、を備える。
【００１７】
なお、本実施形態にかかるカバー水栓１００は、必ずしも２つの止水栓を備えていなくともよい。例えば、カバー水栓１００は、１つの止水栓を備えていてもよい。あるいは、カバー水栓１００は、３つ以上の止水栓を備えていてもよい。以下の説明では、カバー水栓１００が第１の止水栓１２０と第２の止水栓１３０とを備える場合を例に挙げる。
【００１８】
カバー１０５は、上カバー１０１と、下カバー１０２と、を有する。カバー水栓１００は、上カバー１０１と、下カバー１０２と、の間において、水栓本体１１０、第１の止水栓１２０、および第２の止水栓１３０などの水栓に関する部品の少なくとも一部を内蔵する。カバー水栓１００は、水栓に関する部品の少なくとも一部を内蔵した状態で例えば浴室などの壁（取付対象の壁）２１０に固定される。
【００１９】
水栓本体１１０は、支持材１６０に支持され、サーモユニット１１１と、流調ユニット１１３と、ボタンユニット１１５と、スパウト１１７と、を有する。サーモユニット１１１は、スパウト１１７あるいはシャワーヘッド（図示せず）から吐出される水の温度を調整する。なお、シャワーヘッドは、シャワーエルボ１７０に接続されたシャワーホースの一端部に設けられる。流調ユニット１１３は、スパウト１１７あるいはシャワーヘッド（図示せず）から吐出される水の流量を調整する。ボタンユニット１１５は、水がスパウト１１７から吐出される状態と、水がシャワーヘッド（図示せず）から吐出される状態と、を切り替えることできる。
【００２０】
第１の止水栓１２０は、操作部１２１と、接続部１２７（図６（ｂ）参照）と、を有する。第１の止水栓１２０は、接続部１２７において壁２１０から突出した給水管２２０に接続され、操作部１２１を操作することで、給水管２２０を通して供給される水の圧力を調整したり、給水管２２０を通して供給される水を止めたりする。第１の止水栓１２０は、金属製の第１の配管１２９を介してサーモユニット１１１に接続されている。図１（ｂ）に表したように、第１の止水栓１２０の操作部１２１は、第１の止水栓１２０の下部に設けられ、下カバー１０２を通してカバー１０５の外側に位置する。操作部１２１は、溝１２２を有する。そのため、例えば使用者は、カバー１０５の外側から第１の止水栓１２０の操作部１２１の溝１２２にマイナスドライバなどの工具を嵌めて回すことで、操作部１２１を操作することができる。
【００２１】
第２の止水栓１３０は、操作部１３１と、接続部と、を有する。図６（ｂ）に関して後述するように、第２の止水栓１３０の接続部の構造は、第１の止水栓１２０の接続部１２７の構造と同じである。第２の止水栓１３０は、接続部において壁２１０から突出した給湯管２３０に接続され、操作部１３１を操作することで、給湯管２３０を通して供給される湯の圧力を調整したり、給湯管２３０を通して供給される湯を止めたりする。第２の止水栓１３０は、金属製の第２の配管１３９を介してサーモユニット１１１に接続されている。図１（ｂ）に表したように、第２の止水栓１３０の操作部１３１は、第２の止水栓１３０の下部に設けられ、下カバー１０２を通してカバー１０５の外側に位置する。操作部１３１は、溝１３２を有する。そのため、例えば使用者は、カバー１０５の外側から第２の止水栓１３０の操作部１３１の溝１３２にマイナスドライバなどの工具を嵌めて回すことで、操作部１３１を操作することができる。
【００２２】
なお、第１の止水栓１２０は、給水管２２０に接続されることには限定されない。第２の止水栓１３０は、給湯管２３０に接続されることには限定されない。例えば、第１の止水栓１２０が給湯管２３０に接続され、第２の止水栓１３０が給水管２２０に接続されてもよい。  
本実施形態では、第１の止水栓１２０が給水管２２０に接続され、第２の止水栓１３０が給湯管２３０に接続される場合を例に挙げる。
【００２３】
回転抑制手段１４０は、第１の止水栓１２０および第２の止水栓１３０の両者を連結するように取り付けられ、第１の止水栓１２０および第２の止水栓１３０が回転することを抑制する。  
下カバー取付材１５０は、回転抑制手段１４０に固定され、下カバー１０２を支持する。具体的には、締結部材１８１は、下カバー１０２を通して下カバー取付材１５０と結合することで、下カバー１０２と下カバー取付材１５０とを締結する。なお、図２に表した例では、下カバー取付材１５０は、回転抑制手段１４０と別体として設けられているが、回転抑制手段１４０と一体として設けられていてもよい。
【００２４】
支持材１６０は、水栓本体１１０と、上カバー１０１と、下カバー１０２と、を支持し、壁２１０に固定される。具体的には、水栓本体１１０、上カバー１０１、および下カバー１０２は、例えばねじなどの締結部材により支持材１６０に固定されている。支持材１６０が水栓本体１１０と、上カバー１０１と、下カバー１０２と、を支持した状態で壁２１０に固定されることにより、カバー水栓１００は、壁２１０に固定される。
【００２５】
図３は、本実施形態にかかるカバー水栓を下方から眺めたときの模式的平面図である。  図４は、本実施形態にかかるカバー水栓を上方から眺めたときの模式的平面図である。  図５は、本実施形態の回転抑制手段が第１の止水栓および第２の止水栓を固定した状態を表す模式的斜視図である。  
図６は、第１の止水栓と給水管との間の接続を説明する模式図である。  
図６（ａ）は、本実施形態にかかるカバー水栓を図４に表した矢印Ａ１１の方向に眺めたときの模式的平面図である。図６（ｂ）は、図６（ａ）に表した切断面Ｂ１−Ｂ１における模式的断面図である。  
図３および図４では、説明の便宜上、カバー１０５を省略している。
【００２６】
図３〜図５に表したように、第１の止水栓１２０は、袋ナット１２３により給水管２２０に接続され固定される。具体的には、図６（ｂ）に表したように、給水管２２０の部分であって壁２１０から突出した部分には、おねじ２２３が設けられている。一方、袋ナット１２３の内側には、めねじ１２３ａが設けられている。袋ナット１２３が給水管２２０と結合し、袋ナット１２３の一部が第１の止水栓１２０の接続部１２７と当接することで、第１の止水栓１２０は、接続部１２７を給水管２２０の先端面に押圧した状態で給水管２２０に接続される。図６（ｂ）に表した例では、第１の止水栓１２０の接続部１２７は、パッキン１２８を介して給水管２２０の先端面と当接している。これにより、第１の止水栓１２０の前後方向における位置精度をより高めることができる。なお、本実施形態においては、袋ナット１２３は第１の止水栓１２０に予め取り付けられた形態であるが、袋ナット１２３は、給水管２２０の先端部に予め取り付けられた形態であっても構わない。この場合、袋ナット１２３の一部は、給水管２２０の先端部の一部に当接する形態となる。
【００２７】
本願明細書において「当接」という範囲には、複数の部材が互いに直接的に接触することだけではなく、複数の部材が例えばパッキンなどの介在物を介して間接的に接触することが含まれるものとする。
【００２８】
第１の止水栓１２０の操作部１２１の（回転）軸Ａ２は、第１の止水栓１２０の接続部１２７の軸Ａ１と直交する。
【００２９】
図３〜図５に表したように、第２の止水栓１３０は、袋ナット１３３により給湯管２３０に接続され固定される。第２の止水栓１３０と給湯管２３０との間の接続構造は、第１の止水栓１２０と給水管２２０との間の接続構造と同じである。具体的には、給湯管２３０の部分であって壁２１０から突出した部分には、おねじが設けられている。一方、袋ナット１３３の内側には、めねじが設けられている。袋ナット１３３が給湯管２３０と結合し、袋ナット１３３の一部が第２の止水栓１３０の接続部と当接することで、第２の止水栓１３０は、第２の止水栓１３０の接続部を給湯管２３０の先端面に押圧した状態で給湯管２３０に接続される。これにより、第２の止水栓１３０の位置精度をより高めることができる。
【００３０】
第２の止水栓１３０の操作部１３１の（回転）軸Ａ４は、第２の止水栓１３０の接続部の軸Ａ３と直交する。
【００３１】
ここで、前述したように、第１の止水栓１２０は、袋ナット１２３により押圧状態で給水管２２０に接続されている。そのため、例えば使用者が第１の止水栓１２０の操作部１２１を操作したときに第１の止水栓１２０が軸Ａ１まわりに回転すると、袋ナット１２３と、第１の止水栓１２０の接続部１２７と、の間の摩擦力により、袋ナット１２３が回転するおそれがある。袋ナット１２３が回転すると、漏水が発生するおそれがある。
【００３２】
また、前述したように、第２の止水栓１３０は、袋ナット１３３により押圧状態で給湯管２３０に接続されている。そのため、例えば使用者が第２の止水栓１３０の操作部１３１を操作したときに意図しない力が作用して第２の止水栓１３０自体が軸Ａ３まわりに回転すると、袋ナット１３３と、第２の止水栓１３０の接続部と、の間の摩擦力により、袋ナット１３３が回転するおそれがある。袋ナットが回転すると、漏水が発生するおそれがある。
【００３３】
これに対して、本実施形態にかかるカバー水栓１００は、回転抑制手段１４０を備える。図３〜図５に表したように、回転制御手段１４０は断面が略Ｌ字状に形成された部材であり、金属製である。回転制御手段１４０は、第１の止水栓１２０および第２の止水栓１３０のそれぞれの上端を、第１の止水栓１２０と第２の止水栓１３０とが互いに回転を抑制し合うように連結している。具体的には、回転制御手段１４０は、第１の止水栓１２０および第２の止水栓１３０のそれぞれの上端に設けられた後述する固定部１２５および固定部１３５に例えばねじなどの締結部材１８３により固定されている。
【００３４】
これにより、例えば使用者が第１の止水栓１２０の操作部１２１を操作したときに第１の止水栓１２０が回転することを抑制することができる。また、例えば使用者が第２の止水栓１３０の操作部１３１を操作したときに第２の止水栓１３０が回転することを抑制することができる。そのため、第１の止水栓１２０と給水管２２０との間の接続部分において漏水が発生することを抑えることができる。また、第２の止水栓１３０と給湯管２３０との間の接続部分において漏水が発生することを抑えることができる。
【００３５】
さらに、第１の止水栓１２０が袋ナット１２３により押圧状態で給水管２２０に接続されるため、第１の止水栓１２０の位置精度をより高めることができる。また、第２の止水栓１３０が袋ナット１３３により押圧状態で給湯管２３０に接続されるため、第２の止水栓１３０の位置精度をより高めることができる。これにより、カバー水栓１００のコンパクト化を図ることができる。
【００３６】
図５に表したように、回転抑制手段１４０は、第１の止水栓１２０と第２の止水栓１３０とを連結する構造を有し、第１の止水栓１２０と第２の止水栓１３０とが互いに回転することを抑制する。
【００３７】
これによれば、回転抑制手段１４０は、第１の止水栓１２０と第２の止水栓１３０とを連結するという比較的簡単な構造により、第１の止水栓１２０および第２の止水栓１３０の回転を抑制することができる。また、第１の止水栓１２０および第２の止水栓１３０は、互いに回転することを抑制されるため、回転抑制手段１４０は、第１の止水栓１２０および第２の止水栓１３０の回転をより確実に抑制することができる。
【００３８】
図５に表したように、第１の止水栓１２０は、固定部１２５を有する。第２の止水栓１３０は、固定部１３５を有する。固定部１２５および固定部１３５はそれぞれ、第１の止水栓１２０および第２の止水栓１３０の上端部から後方に向かって、幅広かつ水平に延設されている。また、固定部１２５および固定部１３５のそれぞれの左右の両端には、締結部材１８３を挿入するための孔（図示省略）が設けられている。そして、回転抑制手段１４０は、第１の止水栓１２０の固定部１２５と、第２の止水栓１３０の固定部１３５と、において締結部材１８３により固定されている。言い換えれば、締結部材１８３を取り外すことにより、第１の止水栓１２０および第２の止水栓１３０から回転抑制手段１４０を取り外すことができる。つまり、回転抑制手段１４０は、第１の止水栓１２０の固定部１２５と、第２の止水栓１３０の固定部１３５と、に対して着脱自在に設けられている。
【００３９】
回転抑制手段１４０は、固定部１２５および固定部１３５に固定された状態においては、固定部１２５および固定部１３５のそれぞれの両端の底面に接した状態で固定される。このようにして回転抑制手段１４０により連結された第１の止水栓１２０および第２の止水栓１３０は、操作部１２１もしくは操作部１３１が操作され、軸Ａ１もしくは軸Ａ３まわりに回転しようとした際、回転抑制手段１４０によって、操作されていない他方の止水栓を押し下げもしくは押し上げようとする。これに対して、第１の止水栓１２０および第２の止水栓１３０はそれぞれ、給水管２２０および給湯管２３０に取り付けて固定されているため、操作されていない他方の止水栓を押し下げもしくは押し上げることができず、結果的に回転が抑制される。
【００４０】
図２および図５に表したように、回転抑制手段１４０は、孔１４１を有する。図２および図３に表したように、下カバー取付材１５０は、孔１５１および孔１５３を有する。締結部材１８３が下カバー取付材１５０の孔１５３を挿通して回転抑制手段１４０の孔１４１と結合することにより、下カバー取付材１５０は、回転抑制手段１４０に取り付けられる。締結部材１８１が下カバー１０２の孔１０２ａ（図１（ｂ）参照）を挿通して下カバー取付材１５０の孔１５１と結合することにより、下カバー１０２は、下カバー取付材１５０に固定される。
【００４１】
言い換えれば、下カバー取付材１５０が設けられていない場合には、締結部材１８１が下カバー取付材１５０の孔１５１と結合できないため、下カバー１０２は、下カバー取付材１５０には固定されない。さらに、回転抑制手段１４０が設けられていない場合には、締結部材１８３が回転抑制手段１４０の孔１４１と結合できないため、下カバー取付材１５０は、回転抑制手段１４０には取り付けられない。
【００４２】
これにより、下カバー取付材１５０は、回転抑制手段１４０の設置の忘れを抑制することができる。つまり、下カバー取付材１５０は、例えば作業者が回転抑制手段１４０を第１の止水栓１２０および第２の止水栓１３０に固定することを忘れることを防止することができる。これにより、回転抑制手段１４０が第１の止水栓１２０および第２の止水栓１３０により確実に固定され、第１の止水栓１２０および第２の止水栓１３０の回転をより確実に抑制することができる。
【００４３】
なお、本実施形態では、下カバー１０２は、２ヵ所で取り付けられている。すなわち、支持材１６０には下カバー取付片１６５が設けられている。図３に表したように、締結部材１８１が下カバー１０２の孔１０２ａを挿通して下カバー取付片１６５の孔１６６と結合することで、下カバー１０２をもう１ヵ所で取り付けている。このような形態の場合、回転防止手段１４０を設置していない状態で作業者が締結部材１８３を先に下カバー取付材１５０の孔１５３に結合しようとすると、締結部材１８３を孔１５３に結合できず、下カバー１０２を取り付けられないため、作業者は回転抑制手段１４０を固定部１２５、１３５に取り付け忘れていることに気づくことができる。一方、締結部材１８１を先に下カバー取付片１６５の孔１６６と結合した場合であっても、それに続いて締結部材１８３を下カバー取付材１５０の孔１５３に結合しようとしても、締結部材１８１を孔１５１に結合できないことや、下カバー１０２が１ヵ所しか取り付けられていないことによって生じる下カバー１０２のガタつきによって、作業者は、回転抑制手段１４０を固定部１２５、１３５に取り付け忘れていることに気づくことができる。
【００４４】
図７は、給水管または給湯管の近傍を拡大した模式的拡大図である。  
図２に表したように、支持材１６０は、孔１６１を有する。図７に表したように、給水管２２０の先端部および給湯管２３０の先端部は、支持材１６０の孔１６１を通して支持材１６０の内側（カバー１０５の内側）に進出する。給水管２２０には、先端側からフランジ付きナット１８５が螺合により取り付けられている。同様に、給湯管２３０にも、先端側からフランジ付きナット１８７が螺合により取り付けられている。フランジ付きナット１８５は、ナット部から周囲に延びるフランジ部１８５ａを有する。フランジ付きナット１８７は、ナット部から周囲に延びるフランジ部１８７ａを有する。給湯管２３０の先端部の構造は、給水管２２０の先端部の構造と同様であるため、ここでは、給水管２２０の先端部を例に挙げる。
【００４５】
支持材１６０の孔１６１の径は、給水管２２０に取り付けられたフランジ付きナット１８５のフランジ部１８５ａの径と略同じである。施工時には、壁２１０に設けた図示しない貫通孔から給水管２２０の先端部が前方へ突出した状態において、給水管２２０の先端部が支持材１６０の孔１６１を通るようにして支持材１６０を壁２１０に固定する。その後、給水管２２０の先端側からフランジ付きナット１８５を螺合させ、フランジ部１８５ａが支持材１６０の孔１６１内に収まるようにフランジ付きナット１８５を給水管２２０に取り付ける。給湯管２３０にも同様にしてフランジ付きナット１８７を取り付けることで、給水管２２０と給湯管２３０との先端の相対位置の精度を高めることができる。
【００４６】
ここで、孔１６１の径は、給水管２２０に取り付けられたフランジ付きナット１８５のフランジ部１８５ａの径と略同じである。そのため、作業者が給水管２２０の先端側からフランジ付きナット１８５を、フランジ部１８５ａが支持材１６０の孔１６１内に収まるように取り付ける際に、支持材１６０をフランジ部１８５ａと壁２１０とで挟みこんでしまう場合がある。このように挟みこんだ状態では、給水管２２０と給湯管２３０との先端の相対位置のズレが大きくなるため、そのままカバー水栓１００の施工を継続すると、配管等の取付が非常に難しくなってしまう。
【００４７】
これに対して、本実施形態の支持材１６０は、孔１６１の周縁部に設けられた突起部１６３を有する。突起部１６３は、孔１６１の周縁部から前方に向かって延びている。突起部１６３の設置数は、特には限定されない。
【００４８】
これによれば、突起部１６３は、支持材１６０をフランジ部１８５ａと壁２１０とで挟みこんだ状態で施工が継続されることを抑制することができる。すなわち、突起部１６３が設けられていない場合と比較すると、例えば作業者は、支持材１６０をフランジ部１８５ａと壁とで挟みこむ場合、突起部１６３をもフランジ部１８５ａと壁２１０とで挟みこんでしまうため、支持材１６０をフランジ部１８５ａと壁２１０とで挟みこんだことを気づきやすい。これにより、支持材１６０をフランジ部８５ａと壁２１０とで挟みこんだ場合には、作業者は挟みこみの状態を解消でき、支持材１６０をフランジ部１８５ａと壁２１０とで挟みこんだ状態で施工が継続されることが、より確実に抑制される。
【００４９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、カバー水栓１００などが備える各要素の形状、寸法、材質、配置などや第１の止水栓１２０、第２の止水栓１３０、回転抑制手段１４０、および下カバー取付材１５０の設置形態などは、例示したものに限定されるわけではなく適宜変更することができる。例えば、下カバー取付材１５０は、回転抑制手段１４０と一体的に設けられていてもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５０】
１００ カバー水栓、  １０１ 上カバー、  １０２ 下カバー、  １０２ａ 孔、  １０５ カバー、  １１０ 水栓本体、  １１１ サーモユニット、  １１３ 流調ユニット、  １１５ ボタンユニット、  １１７ スパウト、  １２０ 第１の止水栓、  １２１ 操作部、  １２２ 溝、  １２３ 袋ナット、  １２３ａ めねじ、  １２５ 固定部、  １２７ 接続部、  １２８ パッキン、  １２９ 第１の配管、  １３０ 第２の止水栓、  １３１ 操作部、  １３２ 溝、  １３３ 袋ナット、  １３５ 固定部、  １３９ 第２の配管、  １４０ 回転抑制手段、  １４１ 孔、  １５０ 下カバー取付材、  １５１ 孔、  １５３ 孔、  １６０ 支持材、  １６１ 孔、  １６３ 突起部、  １６５ 下カバー取付片、  １６６ 孔、  １７０ シャワーエルボ、  １８１ 締結部材、  １８３ 締結部材、  １８５ フランジ付きナット、  １８５ａ フランジ部、  １８７ フランジ付きナット、  １８７ａ フランジ部、  ２１０ 壁、  ２２０ 給水管、  ２２３ おねじ、  ２３０ 給湯管
【図１】
0006650098.tif 000002
【図２】
0006650098.tif 000003
【図３】
0006650098.tif 000004
【図４】
0006650098.tif 000005
【図５】
0006650098.tif 000006
【図６】
0006650098.tif 000007
【図７】
0006650098.tif 000008